(57)【要約】      （修正有）【課題】自転車ロッカー内に保管された自転車は容易に触れることができず、高い盗難難易度を得ることが可能である。しかし、人目に触れずに自転車ロッカーのドアを破壊することができた場合には、チェーンロックを繋ぐ為のフック取付け部を、道具を用いて破壊し、自転車を持ち去ることが可能な場合がある。安全に自転車等を保管することが可能な器具を提供する。【解決手段】チェーンロック用フック１３と強度の高い金属で自転車ロッカー本体若しくはドア６のパネルを挟み、貫通穴にボルトとナット等の強度の高い締結方法を用いて、前記チェーンロック用フックを締結する。以上の構成により、取付け部の座面強度を高くすることが可能となり、高い盗難難易度を確保することが可能となる。【選択図】図１
2014177197.tif 000002
【特許請求の範囲】
【請求項１】
自転車及びその他の物を収容する為の自転車ロッカーにおいて、強度の高いワイヤー状やＵ字形状の鍵であるチェーンロックを用いて自転車を施錠する為のチェーンロック用フックを有し、前記チェーンロック用フックと強度の高い金属で自転車ロッカー本体若しくはドアのパネルを挟み、貫通穴にボルトとナットやかしめ等の強度の高い締結方法を用いて、前記チェーンロック用フックを締結したことを特徴とする自転車保管器具。
【請求項２】
自転車及びその他の物を収容する為の自転車ロッカーにおいて、前記チェーンロック用フックを有し、自転車ロッカー本体若しくはドアのパネルに設けた貫通穴に前記チェーンロック用フックを貫通させて保持したことを特徴とする自転車保管器具。
【請求項３】
自転車及びその他の物を収容する為の自転車ロッカーにおいて、前記チェーンロック用フックを有し、前記チェーンロック用フックに設けたフランジ部を自転車ロッカー本体若しくはドアのパネルに溶接したことを特徴とする自転車保管器具。
【請求項４】
汎用工具では緩み方向に回転させることができないボルト、又は、ネジ山に接着剤を用いたボルトを使用して前記チェーンロック用フックを締結したことを特徴とする請求項１記載の自転車保管器具。
【請求項５】
前記チェーンロック用フックに対し、前記チェーンロックを貫通させる方向に、強度の高い剛体を貫通させることを阻害可能な程度の突起形状を有する請求項１乃至請求項２又は請求項３記載の自転車保管器具。
【請求項６】
前記チェーンロック用フックを、ドアを揺動させる蝶番等を有する側面に設けたことを特徴とする請求項１乃至請求項２又は請求項３記載の自転車保管器具。
【発明の詳細な説明】
【技術分野】
【０００１】
本発明は、自転車を保管する器具の構造に関する。
【背景技術】
【０００２】
外出先において自転車は駐輪場に保管されることが一般的である。また、駐輪場は自転車を保持するラックを使用し、多くの台数を収容していることが多い。この為一般的な駐輪場では自転車同士が当たり自転車に傷がつく、自転車に容易に触れられる為盗難に対する防御が難しいといった問題を有しており、高価な自転車を所有する人はこの様な駐輪場を利用しないことが多い。
高価な自転車を所有する人の中には、電動の切断工具や大型の金属切断工具を用いても切断する難易度が高いチェーンタイプの鍵やＵ字形状の鍵を、地面に固定された頑丈な構造物と自転車のフレームを貫通させて施錠し、更には複数のチェーンタイプの鍵を用いて、車輪やサドルなどの部品が盗難されることを防止している。しかし、以上の方法で駐輪した場合でも、自転車に容易に触れることが可能であり、高価な自転車が盗難される場合がある。
以上の状況を鑑みて、自転車を安全に保管する為に建物の中で自転車を預かるサービスや、自転車を収納する自転車ロッカーを活用するサービスが見受けられる。
【先行技術文献】
【特許文献】
【０００３】
【特許文献１】特開２００５−２２５８９
【発明の概要】
【発明が解決しようとする課題】
【０００４】
上述した特許文献１の駐輪装置は、地上に固定される構造体に自転車のフレームを保持し、自転車ごと持ち運ばれる盗難を防ぐものである。この駐輪装置を用いることにより、容易に自転車のフレームを施錠し、盗難難易度を高めることが可能となる。しかし、自転車に容易に触れられる為に、自転車の部品に対する盗難防止ができない。また、自転車を盗難する際には、鍵や鍵が取り付けられている部位を破壊して盗難することが多く、鍵や鍵が取り付けられている部位が破壊されにくいように頑丈且つ力を入れにくい構造とする必要がある。特許文献１は鍵機構部が長い構造体で構成されており、先端に力を加えた場合には保持部に大きな力がかかり力を加えやすいとともに、破壊する為の工具を使用することを防止できていない。この為、盗難する為の準備をした盗難者には自転車を持ち去ることが可能である。
【０００５】
また、電動の切断工具や大型の金属切断工具を用いても切断する難易度が高いチェーンタイプの鍵やＵ字形状の鍵を、地面に固定された頑丈な構造物と自転車のフレームを貫通させて施錠する方法は、自転車に容易に触れられる為に、自転車の部品に対する盗難防止ができていない。更には自転車所有者が鍵を破壊している場合と、盗難者が鍵を破壊している場合の区別がつかず、盗難者が鍵を破壊する行為が第三者から通報されないことが多い。
【０００６】
自転車に容易に触れられること、盗難者が鍵を破壊する行為が通報されないことを防止する為に、自転車を保管する金属製の保管庫である自転車ロッカーを使用することがある。自転車は自転車ロッカー内に保管される為、自転車には容易に触れることができず、自転車の部品に対する盗難を防止することが可能である。しかし、人目に触れずに自転車ロッカーのドアを破壊することができた場合には、自転車ロッカーは比較的薄い金属板を用いて構成されることが一般的である為、チェーンタイプの鍵を使用する為に設けられた、ボルトとナットで締結されたチェーンロック用フックは取り付け座面の強度が不足し、道具を用いた場合には取り付け部を破壊し、自転車を持ち去ることが可能である。
【０００７】
本発明は以上の様な従来の欠点を鑑み、自転車ロッカーを用いて盗難難易度が高い構造を提供することを目的としている。
【課題を解決するための手段】
【０００８】
本発明の自転車保管器具は、自転車及びその他の物を収容する為の自転車ロッカーにおいて、強度の高いワイヤー状の鍵や、Ｕ字形状の鍵を含めたチェーンロックを用いて自転車を施錠する為のチェーンロック用フックを有し、前記チェーンロック用フックと強度の高い金属で前記自転車ロッカー本体若しくはドアのパネルを挟み、貫通穴にボルトとナット等の強度の高い締結方法を用いて、前記チェーンロック用フックを締結したことを特徴とする。以上の構成により、座面強度を高めることができ、盗難難易度を高めることが可能となる。
【０００９】
また、前記自転車ロッカー本体若しくは前記ドアのパネルに設けた貫通穴に前記チェーンロック用フックを貫通させて保持し、１つの貫通穴に対して大きなフランジを有する前記チェーンロック用フックを貫通させて前記チェーンロック用フックを取り付ける、又は、２つの貫通穴を貫通穴間の寸法を長く設け、２つの貫通穴を通して前記チェーンロック用フックを結合することで、高い取り付け強度を確保することが可能である。
【００１０】
また、前記チェーンロック用フックにフランジを設け、前記フランジを前記自転車ロッカー本体若しくは前記ドアのパネルに溶接することで、溶接面積を広く確保することが可能となり、十分な前記チェーンロック用フックの固定強度を確保することができる。
【００１１】
前記チェーンロック用フックをボルトとナットを使用して固定する場合には、汎用工具では外す方向に回転させることができないボルトを使用し、又は、ネジ山に接着剤を用いたボルトを使用して締結し、締結部を取り外す難易度を高めることが望ましい。
【００１２】
自転車等を盗難する際には、前記チェーンロック用フックに対して強度の高い剛体を用いて破壊する行為が想定される。前記チェーンロックを貫通させる方向に、強度の高い剛体を貫通させることを阻害可能な程度の突起形状を設けることにより、破壊行為を防止することが可能となる。
【００１３】
前記チェーンロック用フックを、前記自転車ロッカー本体においてドアを揺動させる蝶番等を有する側の側面に設けることにより、前記ドアが介在することにより前記チェーンロック用フックの締結部の両側に、一人では同時にとどかない構成を可能とする。
【発明の効果】
【００１４】
本発明によれば、安全に自転車等を保管することが可能な器具を提供することができる。
【図面の簡単な説明】
【００１５】
【図１】本発明の一実施例における自転車保管器具の概要図である。
【図２】同自転車保管器具において、ボルトとナットで締結したチェーンロック用フックの締結部断面図である。
【図３】同自転車保管器具において、貫通穴を用いて保持したチェーンロック用フックの締結部断面図である。
【図４】同自転車保管器具において、強度の高い剛体を貫通させることを阻害可能な程度の突起形状の斜視図である。
【発明を実施するための形態】
【００１６】
以下、本発明の実施の形態を図に基づいて説明する。
【実施例１】
【００１７】
図１は本発明の一実施例における自転車保管器具の概要図である。
自転車ロッカー本体は側面パネル左１、側面パネル右２、背面パネル３、天面パネル４、床面パネル５にて構成される。
【００１８】
側面パネル左１、側面パネル右２、背面パネル３、天面パネル４、床面パネル５はアルミニウムや鋼板等の金属製の長方形の板状部材にて構成されている。
側面パネル左１、側面パネル右２、背面パネル３、天面パネル４、床面パネル５の４辺はそれぞれ内側に２回以上折り曲げられた折り曲げ部が設けられている。この折り曲げ部によりそれぞれのパネル強度を確保している。
【００１９】
側面パネル左１、側面パネル右２、背面パネル３、天面パネル４、床面パネル５の折り曲げ部において締結される面には貫通孔が設けられ、側面パネル左１、側面パネル右２、背面パネル３、天面パネル４、床面パネル５それぞれの端部に設けられた折り曲げ部を突き当て、貫通孔にボルトとナット等固定強度が保てる手段を用いて固定する。それぞれの折り曲げ部は自転車ロッカー本体の内側に存在していることになるので、固定作業は内側から行うことが可能となり、高い防犯性能を確保できる。また、床面パネル５においては折り曲げ部を自転車ロッカー本体の外側に設けても、締結部は自転車ロッカー本体と設置した地面で隠すことが可能であり、同様の防犯性能を得ることが可能である。
それぞれのパネルの強度を確保している折り曲げ部同士を固定しており、また、折り曲げ部に筋交い１０を締結し、自転車ロッカー本体としての強度を保つことが可能となる。
【００２０】
ドア６はアルミニウムや鋼板等の金属製の長方形の板状部材にて構成され、側面パネル左１に図示しない既存の蝶番等を用いて自転車ロッカー本体に対して開閉自在に取り付けられる。
ドア６には自転車用ロッカー本体に対する開閉を規制する為のロータリーキー１４が設けられている。
【００２１】
図２は同自転車保管器具において、ボルトとナットで締結したチェーンロック用フックの締結部断面図である。
チェーンロック用フック１３は、自転車のフレームとチェーンロック用フック１３の両方を、切断する難易度の高いチェーンタイプの鍵やＵ字形状の鍵を貫通させて施錠することにより自転車盗難を防止する。チェーンロック用フック１３は十分に厚い金属製の板等の剛体を曲げて形成し、貫通穴を少なくとも２箇所以上有し、２つのチェーンロック用フック１３間に、貫通穴を２箇所以上設けた側面パネル右２を挟んで、十分に太いボルトとナット等を用いて締結される。
自転車を盗難する方法の一例として、チェーンロック用フック１３に剛性の高い金属等の棒を挿入し、力を加えて締結部を破壊する行為が想定されるが、２つのチェーンロック用フック１３間に、貫通穴を２箇所以上設けた側面パネル右２を挟んで、十分に太いボルトとナット等を用いて締結した場合には高い座面強度を確保可能である為、高い盗難防止性能が得られる。
締結に使用するボルトは閉め側の方向だけ回転可能なボルトを用いる、若しくは、六角穴付きボルト等で締結後に半田付け等の収納で六角穴等を埋め、緩め側に回転できない加工を施すことにより、盗難難易度を高めることが可能である。締結に使用するボルトのネジ山にネジ山用接着剤を用いることにより、更に盗難難易度を高めることも可能である。
更に、側面パネル右２は比較的薄い鋼板である為、前記剛性の高い金属棒を用いた盗難方法の場合、側面パネル右２において、前記剛性の高い金属棒の支点となる位置が破れ、チェーンロック用フック１３の締結部に対する破壊難易度が高まる。
【００２２】
側面パネル右２を挟む金属の片側は、チェーンロック用フック１３の替わりに貫通穴を２箇所以上設けた十分に厚い金属板を用いることも可能である。
【００２３】
チェーンロック用フック１３は、側面パネル右２のみならず、側面パネル左１、背面パネル３、天面パネル４、床面パネル５、ドア６や、前記自転車ロッカー本体又はドア６に固定されるフレーム等の金属部品に締結した場合にも同様の効果を得ることが可能である。
【００２４】
図３は同自転車保管器具において、貫通穴を用いて保持したチェーンロック用フック１３の締結部断面図である。
チェーンロック用フック１３は十分に厚い金属製の板や棒を曲げて形成し、側面パネル右２の２箇所の貫通穴を貫通させた後に溶接等の手段で端部同士を結合する。側面パネル右２の２箇所の貫通穴の間は広く設定し、貫通穴間を破壊してチェーンロック用フック１３を取り外す難易度を高めることが望ましい。
また、チェーンロック用フック１３をアイボルトに類似した形状とし、側面パネル右２に設けた貫通穴に端部を貫通させ、端部に前記貫通穴に対して十分に大きいフランジを溶接等の手段で設けた場合にも、同様にチェーンロック用フック１３を取り外す難易度を高められる。
以上の構成を用いた場合も、前記剛性の高い金属棒を用いた盗難方法による盗難難易度を高めることが可能である。
【００２５】
また、チェーンロック用フック１３にフランジを設け、取り付け座面を十分に広く設定し、側面パネル右２に直接溶接で固定した場合にも、溶接面積を広くとることが可能となり、前記剛性の高い金属棒を用いた盗難方法による盗難難易度を高めることが可能である。
【００２６】
図４は同自転車保管器具において、強度の高い剛体を貫通させることを阻害可能な程度の突起形状の斜視図である。
防御板１５は金属等の剛性の高い材料を使用し、チェーンロック用フック１３に前記剛性の高い金属棒が挿入されることを阻害する形状としている。前記チェーンロックは曲げることが可能な構造をしている場合が多い為、防御板１５を設けた場合でもチェーンロック用フック１３を貫通させることが可能である。防御板１５は図２に示した取り外し難易度の高い締結方法等で取り付けられる。以上の構成により、前記剛性の高い金属棒をチェーンロック用フック１３に挿入する難易度が高くなり、更に盗難難易度を高めることが可能となる。
【００２７】
チェーンロック用フック１３は、自転車ロッカー本体においてドア６を取り付ける前記蝶番が固定される側面に締結されることが望ましい。図１の自転車ロッカー右側空間に収納する自転車に対しては前記右側空間の左面となる側面パネル右２に締結されることとなる。以上の構成により、ドア６が間に介在することとなり、チェーンロック用フック１３を締結するボルト側とナット側の両側に、一人ではとどかなくなり、更に盗難難易度を高めることが可能となる。
【産業上の利用可能性】
【００２８】
本発明によれば自転車ロッカー等の自転車保管器具に、自転車を安全に保管することが可能となる。
【符号の説明】
【００２９】
１    側面パネル左
２    側面パネル右
３    背面パネル
４    天面パネル
５    床面パネル
６    ドア
１０    筋交い
１１    バー
１２    自転車ハンガー
１３    チェーンロック用フック
１４    ロータリーキー
１５    防御板
【図１】
2014177197.tif 000003
【図２】
2014177197.tif 000004
【図３】
2014177197.tif 000005
【図４】
2014177197.tif 000006